(57)【要約】【課題】本発明は、枠体の横方向と上下方向の移動を防止する接続手段の提案にある。【解決手段】本発明は、枠体同士を横方向に接続する継手であって、横方向の移動を妨げる横移動防止継手と上下方向の移動を妨げる上下移動防止継手を備え、横移動防止継手は、枠体の側面底部より突出する板と当該板から立上がるに設けた棒からなる雄継手と枠体側面の内側もしくは外側に設けた板と当該板に設けた前記棒が挿入可能な孔からなる雌継手からなり、上下移動防止継手は、枠体の側面から突出する板と当該板から間隔を設けて立上がる一対の舌部でその上部に相向かい合う爪を有する雄継手と、枠体側面の内側もしくは外側に設けた水平に且つ両側に隙間を設けた板からなる雌継手からなり、前記舌部が水平に設けた板の両側の隙間から挿入可能とされ、爪が水平の板を抑える枠体の継手である。【選択図】図１
2009114735.tif 000002
【特許請求の範囲】
【請求項１】
枠体同士を横方向に接続する継手であって、上下方向の移動を妨げる上下移動防止継手と横方向の移動を妨げる横移動防止継手を備え、上下移動防止継手は、枠体の側面から突出する板と当該板から間隔を設けて立上がる一対の舌部でその上部に相向かい合う爪を有する雄継手１と、枠体側面の内側もしくは外側に設けた水平に且つ両側に空間を設けた水平板からなる雌継手１からなり、前記舌部が水平板の両側の空間から挿入可能とされ、爪が水平板を上から抑え、横移動防止継手は、枠体の側面底部より突出する板と当該板から立上がる棒からなる雄継手２と枠体側面の内側もしくは外側に設けた板と当該板に設けた前記棒が挿入可能な孔からなる雌継手２からなる枠体の継手。
【発明の詳細な説明】
【技術分野】
【０００１】
本発明は、枠体の継手技術に属する。
【背景技術】
【０００２】
木レンガや各種平板などを嵌め込んだ枠体、芝生の保護に使用する芝生保護材、内部を区画しその一部にモルタルあるいは敷石などを嵌め込み他の区画を芝生とする区画枠体など各種の枠体が使用されている。これらの枠体は路盤あるいは室内に縦横に接続しながら配置して使用される。接続方法は枠体側面に設けた各種の雄雌の継手を用いて接続される。接続にあたり人の移動あるいは車輌の動きにより簡単にその接続が外れることは安全上からも問題があり、また一部補修の必要があるときには容易に外して取替えなどができるようにする必要がある。
特公平４−２８８４２には横方向の移動を防止する手段として、図5に示す枠体側面から突出る雄継手と雌継手により、上下方向の移動を防止する手段として枠体側面底部から突出す板とその板を挿入する孔枠体側面に設け、枠体の重さで防止している。この方法では上下方向の移動防止が不十分である。
【０００３】
【特許文献１】特公平４−２８８４２
【発明の開示】
【発明が解決しようとする課題】
【０００４】
本発明は、枠体の横方向と上下方向の移動を防止する接続手段の提案にある。
【課題を解決するための手段】
【０００５】
本発明は、枠体同士を横方向に接続する継手であって、上下方向の移動を妨げる上下移動防止継手と横方向の移動を妨げる横移動防止継手を備え、上下移動防止継手は、枠体の側面から突出する板と当該板から間隔を設けて立上がる一対の舌部でその上部に相向かい合う爪を有する雄継手１と、枠体側面の内側もしくは外側に設けた水平に且つ両側に空間を設けた水平板からなる雌継手１からなり、前記舌部が水平板の両側の空間から挿入可能とされ、爪が水平板を上から抑え、横移動防止継手は、枠体の側面底部より突出する板と当該板から立上がる棒からなる雄継手２と枠体側面の内側もしくは外側に設けた板と当該板に設けた前記棒が挿入可能な孔からなる雌継手２からなる枠体の継手である。上下方向の移動は水平な板を両側から上から抑える爪で防止し、横方向の移動は棒と棒が挿入される板で防止した。
【発明の効果】
【０００６】
本発明は、枠体の側面に設けた水平板と当該水平板の両側から上から抑える一対の爪付き舌部を設けたため上方向への移動が防止できる。枠体の側面から突出する板より立ち上がる棒と棒が挿入できる孔を設けたため、横方向の移動が防止できる。
【発明を実施するための最良の形態】
【０００７】
以下本発明を図により詳細に説明する。
図１は、上下方向の移動を防止する継手の概念図である。
図１ａは雄継手１の平面と断面を示す概念図である。図１ｂは雌継手１の平面および断面を示す概念図である。図１ｃは、雄継手１と雌継手１とが契合した状態を示す概念図である。
雄継手１は間隔を隔てて立ち上がる一対の舌部とその上部には爪が相対向する向きに設けられている。
雌継手１は水平に設けられた板であり、その両側に空間が設けられている。図では水平板の両側には側板が設けられ水平板と側板との間には空間が設けられている。
【０００８】
図に示すように雄継手１である舌部は雌継手１である水平板の両側から下方から上方に挿入され、爪で持って水平板を上から抑えることで契合は完了する。
本継手の契合を外すには爪を水平板より外して雌継手１のついている枠体を上に動かすことで容易に外すことができる。
水平板の両側にある側板は特に本発明の実施には必要はないが舌部の挿入時の案内となる。雄継手１は枠体の側面から外側に突き出るように設けるが雌継手１は枠体側面の内側に設けあるいは外側に突き出るように設けることができる。
【０００９】
図２は、横方向の移動を防止する継手の概念図である。図２ａは雄継手２の平面と断面を示す概念図である。図２ｂは雌継手２の平面および断面を示す概念図である。図２ｃは雄継手２と雌継手２とが契合した状態を示す概念図である。
雄継手２は枠体側面から突き出る板から立ち上がる棒である。雌継手２は枠体側面から突き出る板に雄継手2である棒が挿入する孔が設けられている。
雄継手２は図では丸棒として示されているが、板その他の角棒であってもよく雌継手２の孔がその形状で挿入可能となっていればよい。
【００１０】
図２に示すように雄継手２である棒は雌継手２である水平板の孔に挿入されることで契合は完了する。
本継手の契合を外すにはそのまま雌継手２を設けた枠体を上に移動させることで容易に外すことができる。
【００１１】
図３は枠体の側面に上記継手を配した概念図である。図３ａは継手が枠体側面より外方に突き出るように配置した図の概念図であり、図３ｂは、雌継手を枠体の内方向に配置した概念図である。相接する２辺に雄継手、他の相接する２辺に雌継手を配した状態を示している。また、相対向する２辺に雄継手、他の２辺に雌継手を配してもよい。
【００１２】
図４は枠体を複数接続した状態を示す概念図である。図４ａは、雌継手を枠体の側面外側に配した例であり、図４ｂは雌継手を枠体の側面内側に配した例である。
枠体はポリオレフィンのポリプロピレンあるいはポリエチレン等の熱可塑性樹脂が使用できる。
【図面の簡単な説明】
【００１３】
【図１】本発明である第１の継手の概念図である。
【図２】本発明である第２の継手の概念図である。
【図３】本発明の継手を配置した枠体の概念図である。
【図４】本発明の継手を有する枠体を配置した状態を示す概念図である。
【図５】従来の継手を配した枠体の概念図である。
【符号の説明】
【００１４】
１  雄継手１
・  舌部
・  爪
２  雌継手１
・  水平板
・  水平板両側の空間
３  雄継手２
31  棒
４  雌継手２
41  孔
５  枠体
【図１】
2009114735.tif 000003
【図２】
2009114735.tif 000004
【図３】
2009114735.tif 000005
【図４】
2009114735.tif 000006
【図５】
2009114735.tif 000007